(57)【要約】【課題】振動板の導体線路の定常的な発熱及び電力消費を低減する。【解決手段】対向する一対の振動板１に形成された導体線路２に、スイッチングアンプから駆動パルス信号をそれぞれ出力し、駆動パルス信号の少なくとも一方の立ち上がり及び／又は立ち下がりエッジの出力タイミングを、オーディオ信号のレベルに応じて変化させて、振動板１に、オーディオ信号のレベルと相関関係にある電磁力を作用させ、振動板１を振動させて、音響出力を行う。【選択図】  図１
2008103966.tif 000002
【特許請求の範囲】
【請求項１】
対向する一対の振動板に形成された導体線路に、スイッチングアンプから駆動パルス信号をそれぞれ出力し、
駆動パルス信号の少なくとも一方の立ち上がり及び／又は立ち下がりエッジの出力タイミングを、オーディオ信号のレベルに応じて変化させて、
両振動板の導体線路に、両導体線路に作用する引力の持続時間と両導体線路に作用する斥力の持続時間の比がオーディオ信号のレベルと相関関係にある電磁力を作用させ、
振動板を振動させて、
音響出力を行う平面スピーカの駆動方法。
【請求項２】
Ａ．導体線路が形成され、対向する一対の振動板と、
Ｂ．オーディオ信号が入力され、各振動板の導体線路に、それぞれ、駆動パルス信号を    出力し、駆動パルス信号の少なくとも一方の立ち上がり及び／又は立ち下がりエッジ    の出力タイミングを、オーディオ信号のレベルに応じて変化させ、両振動板の導体線    路に、両導体線路に作用する引力の持続時間と両導体線路に作用する斥力の持続時間    の比がオーディオ信号のレベルと相関関係にある電磁力を作用させるスイッチングア    ンプ
を有する平面スピーカシステム。
【請求項３】
入力されるオーディオ信号が０のときに各駆動パルス信号の立ち上がり及び立ち下がりエッジの出力タイミングが１／４ずれている請求項２記載の平面スピーカシステム。
【請求項４】
スイッチングアンプが、
イ．鋸波とされた基準パルス信号を発生する手段と、
ロ．基準パルス信号とオーディオ信号のレベルを比較し、オーディオ信号のレベルに応    じてパルス幅が変調されたパルス幅変調信号を出力する手段と、
ハ．基準パルス信号を変換して、矩形波とされ且つ一方の駆動パルス信号とされる制御    パルス信号を出力し、この制御パルス信号の周波数を基準パルス信号の１／２とする    手段と、
ニ．他方の駆動パルス信号を出力し、パルス幅変調信号と制御パルス信号の両者のレベ    ルが異なる場合に、他方の駆動パルス信号を所定レベルとする手段
を有する請求項２又は３記載の平面スピーカシステム。
【請求項５】
スイッチングアンプが、
イ．矩形波とされ且つ一方の駆動パルス信号とされる基準パルス信号を発生する手段と    、
ロ．基準パルス信号を変換して、三角波とされた制御パルス信号を出力する手段と、
ハ．制御パルス信号とオーディオ信号のレベルを比較し、オーディオ信号のレベルに応    じてパルス幅が変調されたパルス幅変調信号を出力する手段と、
ニ．パルス幅変調信号の立ち上がりエッジの出力をトリガとして、周波数が制御パルス    信号に等しい他方の駆動パルス信号を出力する手段
を有する請求項２又は３記載の平面スピーカシステム。
【請求項６】
スイッチングアンプが、
イ．矩形波とされ且つ一方の駆動パルス信号とされた基準パルス信号を発生する手段と    、
ロ．基準パルス信号を変換して、三角波とされた制御パルス信号を出力する手段と、
ハ．制御パルス信号とオーディオ信号のレベルを比較し、オーディオ信号のレベルに応    じてパルス幅が変調された第１パルス幅変調信号を出力する手段と、
ニ．オーディオ信号を反転させて、反転オーディオ信号を出力する手段と、
ホ．制御パルス信号と反転オーディオ信号のレベルを比較し、反転オーディオ信号のレ    ベルに応じてパルス幅が変調された第２パルス幅変調信号を出力する手段と、
ヘ．他方の駆動パルス信号を出力し、この駆動パルス信号の立ち上がりエッジの出力タ    イミングを第１パルス幅変調信号の立ち下がりエッジと同一とし、駆動パルス信号の    立ち下がりエッジの出力タイミングを第２パルス幅変調信号の立ち下がりエッジと同    一とする手段
を有する請求項２又は３記載の平面スピーカシステム。
【請求項７】
駆動パルス信号を増幅して導体線路に出力する増幅回路が備えられた請求項２〜６の何れかに記載の平面スピーカシステム。
【発明の詳細な説明】
【技術分野】
【０００１】
本発明は、平面スピーカの駆動方法及び平面スピーカシステムに関する。
【背景技術】
【０００２】
平板型スピーカの多くは、音放射面に当たる振動板が平板とされている以外は通常の動電型スピーカと同様に駆動されている。即ち、磁気ギャップ内に挿入されたボイスコイルにオーディオ信号に相当する電流が供給されることで、オーディオ信号に相関のある駆動力を発生させ、ボイスコイルにボビンを介して接続、或いは、ボイスコイルに直接接続された振動板を動かすことで、電気音響変換を行っている。
【０００３】
しかし、上記のものでは、振動板には、ボイスコイルやボビンを支持するだけの強度が必要であり、振動板自体を極端に薄くできない。それ故、振動板を振動させるために、相応の力が必要で、繊細な音まで忠実に再現できない問題がある。
【０００４】
この問題を解決するために、２つの電流間に作用する力を利用した下記の装置が既に提案されている（例えば、特許文献１参照）。このものでは、振動板と固定板が対向状に配置され、両板上に、導体線路とされるコイルが配置されて、両コイルが対向しており、振動板のコイルに供給されるオーディオ信号が正の値の場合には、固定板のコイルに同一方向の電流が流れて、振動板が前方に変位し、オーディオ信号が負の値の場合には、固定板のコイルに逆方向の電流が流れて、振動板が後方に変位するようにされている。
【０００５】
ところで、上記のものでは、オーディオ信号の電力増幅に関してはリニアアンプの使用が想定されているが、リニアアンプの効率は低く、電力消費の低減が困難であるとの問題があった。
【０００６】
【特許文献１】特許３３４９６４７号公報
【発明の開示】
【発明が解決しようとする課題】
【０００７】
本発明は、電力消費を低減できる平面スピーカの駆動方法及び平面スピーカシステムを提供することを目的とする。
【課題を解決するための手段】
【０００８】
上記目的を達成するために、本発明の平面スピーカの駆動方法の特徴とするところは、対向する一対の振動板に形成された導体線路に、スイッチングアンプから駆動パルス信号をそれぞれ出力し、駆動パルス信号の少なくとも一方の立ち上がり及び／又は立ち下がりエッジの出力タイミングを、オーディオ信号のレベルに応じて変化させて、両振動板の導体線路に、両導体線路に作用する引力の持続時間と両導体線路に作用する斥力の持続時間の比がオーディオ信号のレベルと相関関係にある電磁力を作用させ、振動板を振動させて、音響出力を行う点にある。
又、本発明の平面スピーカシステムの特徴とするところは、Ａ．導体線路が形成され、対向する一対の振動板と、Ｂ．オーディオ信号が入力され、各振動板の導体線路に、それぞれ、駆動パルス信号を出力し、駆動パルス信号の少なくとも一方の立ち上がり及び／又は立ち下がりエッジの出力タイミングを、オーディオ信号のレベルに応じて変化させ、両振動板の導体線路に、両導体線路に作用する引力の持続時間と両導体線路に作用する斥力の持続時間の比がオーディオ信号のレベルと相関関係にある電磁力を作用させるスイッチングアンプを有する点にある。
尚、入力されるオーディオ信号が０のときに各駆動パルス信号の立ち上がり及び立ち下がりエッジの出力タイミングが１／４ずれていることもある。
又、スイッチングアンプが、イ．鋸波とされた基準パルス信号を発生する手段と、ロ．基準パルス信号とオーディオ信号のレベルを比較し、オーディオ信号のレベルに応じてパルス幅が変調されたパルス幅変調信号を出力する手段と、ハ．基準パルス信号を変換して、矩形波とされ且つ一方の駆動パルス信号とされる制御パルス信号を出力し、この制御パルス信号の周波数を基準パルス信号の１／２とする手段と、ニ．他方の駆動パルス信号を出力し、パルス幅変調信号と制御パルス信号の両者のレベルが異なる場合に、他方の駆動パルス信号を所定レベルとする手段を有することもある。
更に、スイッチングアンプが、イ．矩形波とされ且つ一方の駆動パルス信号とされる基準パルス信号を発生する手段と、ロ．基準パルス信号を変換して、三角波とされた制御パルス信号を出力する手段と、ハ．制御パルス信号とオーディオ信号のレベルを比較し、オーディオ信号のレベルに応じてパルス幅が変調されたパルス幅変調信号を出力する手段と、ニ．パルス幅変調信号の立ち上がりエッジの出力をトリガとして、周波数が制御パルス信号に等しい他方の駆動パルス信号を出力する手段を有することもある。
又、スイッチングアンプが、イ．矩形波とされ且つ一方の駆動パルス信号とされた基準パルス信号を発生する手段と、ロ．基準パルス信号を変換して、三角波とされた制御パルス信号を出力する手段と、ハ．制御パルス信号とオーディオ信号のレベルを比較し、オーディオ信号のレベルに応じてパルス幅が変調された第１パルス幅変調信号を出力する手段と、ニ．オーディオ信号を反転させて、反転オーディオ信号を出力する手段と、ホ．制御パルス信号と反転オーディオ信号のレベルを比較し、反転オーディオ信号のレベルに応じてパルス幅が変調された第２パルス幅変調信号を出力する手段と、ヘ．他方の駆動パルス信号を出力し、この駆動パルス信号の立ち上がりエッジの出力タイミングを第１パルス幅変調信号の立ち下がりエッジと同一とし、駆動パルス信号の立ち下がりエッジの出力タイミングを第２パルス幅変調信号の立ち下がりエッジと同一とする手段を有することもある。
更に、駆動パルス信号を増幅して導体線路に出力する増幅回路及び電力増幅手段が備えられることもある。
【発明の効果】
【０００９】
本発明によれば、スイッチングアンプから、両導体線路にオーディオ信号に相関のある駆動パルス信号、即ち、交流電流が出力されるが、スイッチングアンプの駆動パルス信号の周波数は比較的高い周波数に設定されるため、導体線路の上記交流電流に対するインピダンスは高く、それ故、オーディオ信号の入力がない場合には、導体線路は殆ど発熱せず、導体線路の定常的な発熱を低減できる。又、効率の高いスイッチングアンプを使用したので、電力消費を低減できる。更に、磁石や金属部品を用いた磁気回路を使用しないので、スピーカを軽量化できる。
【発明を実施するための最良の形態】
【００１０】
以下、本発明の実施の形態の第１例を図１〜図４の図面に基づき説明すると、平面スピーカシステムは、図１及び図２に示す平面スピーカと、図３に示すスイッチングアンプ（スピーカ駆動装置）を有する。
【００１１】
平面スピーカは、例えば、セラミック等で形成された一対の平面振動板１を有し、これら振動板１が同一投影面上に平行に配置されて、対向している。尚、通常、一方の振動板１がフレーム等に固定される固定板とされ、他方の振動板１が上記一方の振動板１にスペーサを介して保持されるが、本例では、便宜上、両板を、機能的に同等の振動板１として説明する。各振動板１には、同一パターンで導体線路（導体、導線、配線）２が形成されて、両導体線路２は対向している。図１に示すように、両導体線路２に逆方向の駆動電流が流れた場合には、両振動板１間の導体線路２間にローレンツ力（電磁力）による斥力が作用し、又、図２に示すように、両導体線路２に同一方向の駆動電流が流れた場合には、両振動板１の導体線路２間にローレンツ力による引力が作用し、この斥力及び引力が、スピーカにおける、目的とする音響放射方向に略一致するようにされている。導体線路２は、振動板１の幅方向に配設された直線状横設部２Ａと、隣接する横設部２Ａの一方の端部を連結する湾曲状連結部２Ｂを有する。導体線路２は振動板１に導体を貼り付けることで形成してもよく、或いは、振動板１に、透明電極のような形態でエッチングにより形成してもよい。尚、振動板１及び導体線路２の材料は軽量のものが好ましい。
【００１２】
スイッチングアンプは、入力されたアナログオーディオ信号をデジタルオーディオ信号、即ち、駆動パルス信号に変換すると共に、増幅し、これを振動板１の駆動信号として両導体線路２に出力するが、この際、駆動パルス信号の少なくとも一方の立ち上がり及び／又は立ち下がりエッジの出力タイミングを、オーディオ信号の電位（電圧ともいう。以下、同様。）レベルに応じて変化させることで、振動板１を振動させるようにしている。尚、ある期間の駆動力は、スイッチングアンプの出力段のオン／オフの時間比に比例する。スイッチングアンプは下記の動作を行う。即ち、入力されたオーディオ信号が正の値の際には、一方の導体線路２に接続されたスイッチングアンプのパルス出力の電位と他方の導体線路２に接続されたスイッチングアンプのパルス出力の電位が同電位である時間を、逆電位である時間よりも長くし、入力されたオーディオ信号が負の値の際には、上記２電位が逆電位である時間を同電位である時間よりも長くする動作を行う。このような動作を行うスイッチングアンプは、鋸波発生回路４と、比較器５と、Ｄフリップフロップ６と、排他的オアゲート７と、増幅回路８，９等を有する。
【００１３】
鋸波発生回路４は、基準パルス信号発生回路として例示されるもので、図４に示すように、スイッチングアンプに入力されるオーディオ信号Ａの周波数と比べて十分に高い周波数の鋸波とされた基準パルス信号Ｂを発生する。本例では、基準パルス信号Ｂの波形の立ち上がりが緩くされ、立ち下りが急峻にされている。
【００１４】
比較器（コンパレータ）５はパルス幅変調信号出力回路として例示されるもので、その一方の（プラス側）入力端子にはオーディオ信号が入力され、他方の（マイナス側）入力端子には鋸波発生回路４が接続されている。比較器５は、図４に示すように、オーディオ信号Ａと基準パルス信号Ｂの電位レベルを比較し、オーディオ信号Ａの電位レベルに応じてパルス幅が変調（ＰＷＭ）されたパルス幅変調信号Ｄを出力する。尚、オーディオ信号Ａのレベルが基準パルス信号Ｂよりも高い場合に、パルス幅変調信号Ｄがハイレベルとなる。
【００１５】
Ｄフリップフロップ６は、矩形波発生回路４として例示されるもので、その反転クロック入力端子バーＣＫには鋸波発生回路４が接続され、データ入力端子Ｄには正電圧＋Ｖｃｃが印可され、図４に示すように、基準パルス信号Ｂの立ち下りエッジの出力をトリガとして、出力端子Ｑから、周波数が基準パルス信号Ｂの１／２である矩形波とされた制御パルス信号Ｃを出力し、これが一方の駆動パルス信号とされる。
【００１６】
排他的オアゲート（ＥＸ−ＯＲゲート）７は駆動パルス信号出力回路として例示されるもので、その入力端子には比較器５の出力端子とＤフリップフロップ６の出力端子Ｑが接続されており、排他的オアゲート７は、図４に示すように、パルス幅変調信号Ｄと制御パルス信号Ｃの排他的論理和（ＥＸ−ＯＲ）である他方の駆動バルス信号Ｅを出力する。即ち、この駆動パルス信号は、オーディオ信号の電位レベルに応じて、立ち上がり及び／又は立ち下りエッジの出力タイミングが制御されており、パルス幅変調信号Ｄと制御パルス信号Ｃの両者の電位レベルが異なる場合に、駆動パルス信号Ｅを所定レベル、即ち、ハイレベルとしている。
【００１７】
各増幅回路（アンプ）８，９の入力端子には、排他的オアゲート７の出力端子又はＤフリップフロップ６の出力端子Ｑが接続されており、入力された駆動パルス信号Ｅ及び駆動パルス信号とされる制御パルス信号Ｃを増幅して、出力する。各増幅回路８の出力端子は、各振動板１の導体線路２に接続されている。
【００１８】
上記構成例によれば、両振動板１の導体線路２の一方に、駆動電流として、駆動パルス信号Ｅが入力され、他方に、駆動電流として、駆動パルス信号とされる制御パルス信号Ｃが入力される。この場合、図１に示すように、両導体線路２に逆方向の駆動電流が流れた場合には、両振動板１の導体線路２間にローレンツ力による斥力が作用し、又、図２に示すように、両導体線路２に同一方向の駆動電流が流れた場合には、両振動板１の導体線路２間にローレンツ力による引力が作用する。両振動板１の導体線路２間に作用するローレンツ力は、図４に示すような、駆動パルス信号Ｅと駆動パルス信号とされる制御パルス信号Ｃの排他的論理和と相関を有している（実際には、この排他的論理和に含まれる低域成分と相関を有している。以下、同様である。）。尚、排他的論理和がハイレベルの場合に、両振動板１の導体線路２間に斥力が作用し、排他的論理和がローレベルの場合に、両振動板１の導体線路２間に引力が作用する。上記斥力及び引力により、振動板１が振動して、音響出力が行われる。
【００１９】
図５及び図６は本発明の実施の形態の第２例を示すもので、図５に示すように、スイッチングアンプが、矩形波発生回路１０と、三角波発生回路１１と、比較器１２と、単安定マルチバイブレータ１３と、増幅回路８，９を有する。
【００２０】
矩形波発生回路１０は、基準パルス信号発生回路として例示されるもので、図６に示すように、矩形波とされた基準パルス信号Ｅを発生する。この基準パルス信号Ｅは一方の駆動パルス信号とされており、矩形波発生回路１０の出力端子が三角波発生回路１１の入力端子に接続されている。
【００２１】
三角波発生回路１１は、制御パルス信号出力回路として例示されるもので、図６に示すように、基準パルス信号Ｅを変換して、波形が２等辺三角形である三角波とされた制御パルス信号Ｂを出力する。尚、基準パルス信号Ｅの立ち上がり出力時に、制御パルス信号Ｂがハイレベルとなり、基準パルス信号Ｅの立ち下がり出力時に、制御パルス信号Ｂがローレベルとなる。
【００２２】
比較器１２はパルス幅変調信号出力回路として例示されるもので、そのプラス側入力端子にはオーディオ信号Ａが入力され、マイナス側入力端子に三角波発生回路１１が接続されている。比較器１２は、オーディオ信号Ａと制御パルス信号Ｂの電位レベルを比較して、図６に示すように、オーディオ信号Ａの電位レベルに応じてパルス幅が変調（ＰＷＭ）されたパルス幅変調信号Ｃを出力する。尚、オーディオ信号Ａのレベルが制御パルス信号Ｂよりも高い場合に、パルス幅変調信号Ｃがハイレベルとなる。
【００２３】
単安定マルチバイブレータ１３は、駆動パルス信号出力回路として例示されるもので、図６に示すように、パルス幅変調信号Ｃの立ち上がりエッジの出力をトリガとして、他方の駆動パルス信号Ｄを出力する。駆動パルス信号Ｄの周期は、制御パルス信号Ｂの周期と等しく、一定とされている。
【００２４】
各増幅回路８，９の入力端子には、単安定マルチバイブレータ１３の出力端子又は矩形波発生回路１０の出力端子が接続されている。
【００２５】
上記構成例によれば、両振動板１の導体線路２間に作用するローレンツ力は、図６に示すような、駆動パルス信号Ｄと駆動パルス信号とされる基準パルス信号Ｅの排他的論理和と相関を有している。
【００２６】
図７及び図８は本発明の実施の形態の第３例を示すもので、図７に示すように、スイッチングアンプが、矩形波発生回路１５と、三角波発生回路１６と、第１・第２比較器１７，１８と、ノットゲート１９と、オアゲート２０と、Ｄフリップフロップ２１と、増幅回路８，９等を有する。
【００２７】
矩形波発生回路１５は、基準パルス信号発生回路として例示されるもので、図８に示すように、矩形波とされた基準パルス信号Ｆを出力する。この基準パルス信号Ｆが一方の駆動パルス信号とされており、矩形波発生回路１６の出力端子が三角波発生回路１６の入力端子に接続されている。
【００２８】
三角波発生回路１６は、第１制御パルス信号出力回路として例示されるもので、図６に示すように、基準パルス信号Ｆを変換して、波形が２等辺三角形である三角波とされた第１制御パルス信号Ｃを出力する。
【００２９】
第１比較器１７は、第１パルス幅変調信号出力回路として例示されるもので、そのプラス側入力端子にオーディオ信号Ａが入力され、マイナス側入力端子に三角波発生回路１６が接続されている。第１比較器１７は、オーディオ信号Ａと第１制御パルス信号Ｃの電位レベルを比較して、図８に示すように、オーディオ信号Ａの電位レベルに応じてパルス幅が変調（ＰＷＭ）された第１パルス幅変調信号Ｄを出力する。尚、オーディオ信号Ａのレベルが第１制御パルス信号Ｃよりも高い場合に、第１パルス幅変調信号Ｄがハイレベルとなる。
【００３０】
ノットゲート（ＮＯＴゲート、出力反転回路、インバータ）１９は、反転オーディオ信号出力回路として例示されるもので、図６に示すように、入力されたオーディオ信号Ａを反転して、反転オーディオ信号Ｂを出力する。
【００３１】
第２比較器１８は、第２パルス幅変調信号出力回路として例示されるもので、そのプラス側入力端子にはノットゲート１９の出力端子が接続され、マイナス側入力端子に三角波発生回路１６の出力端子が接続されている。第２比較器１８は、反転オーディオ信号Ｂと制御パルス信号の電位レベルを比較して、図８に示すように、反転オーディオ信号Ｂの電位レベルに応じてパルス幅が変調（ＰＷＭ）された第２パルス幅変調信号Ｅを出力する。尚、反転オーディオ信号Ａのレベルが第１制御パルス信号Ｃよりも高い場合に、第２パルス幅変調信号Ｅがハイレベルとなる。
【００３２】
オアゲート（ＯＲゲート）２０は、第２制御パルス信号出力回路として例示されるもので、その入力端子には、第２比較器１８の出力端子と矩形波発生回路１５の出力端子が接続されており、第２制御パルス信号を出力する。尚、第２パルス幅変調信号Ｅと基準パルス信号Ｆの両者の電位レベルが異なる場合に、第２制御パルス信号が所定レベル、即ち、ハイレベルとされる。
【００３３】
Ｄフリップフロップ２１は、駆動パルス信号出力回路として例示されるもので、その反転クロック入力端子バーＣＫには、第１比較器１７の出力端子が接続され、データ入力端子Ｄには矩形波発生回路１５の出力端子が接続され、リセット端子Ｒにはオアゲート２０の出力端子が接続されて、出力端子Ｑから他方の駆動パルス信号Ｇを出力する。尚、この駆動パルス信号Ｇの立ち上がりエッジの出力タイミングは第１パルス幅変調信号Ｄの立ち下がりエッジと同一とされ、駆動パルス信号Ｇの立ち下がりエッジの出力タイミングは第２パルス幅変調信号Ｅの立ち下がりエッジと同一とされている。
【００３４】
各増幅回路の入力端子には、Ｄフリップフロップ２１の出力端子Ｑ又は矩形波発生回路１５の出力端子が接続されている。
【００３５】
上記構成例によれば、両振動板１の導体線路２間に作用するローレンツ力は、図８に示すような、駆動パルス信号Ｇと駆動パルス信号とされる基準パルス信号Ｆの排他的論理和と相関を有している。
【００３６】
図１０〜図１４は本発明の上記各例の動作をより具体的に説明するものである。即ち、一方の振動板の符号をＡとし、他方の振動板の符号をＢとした場合において、図１０に示すように、両振動板Ａ，Ｂの導体線路２に同一方向の駆動電流（信号）Ｉ１，Ｉ２が流れた際には、各導体線路２の周囲には、図１０の一点鎖線や点線で示すように、同一方向の磁力線が発生する。これにより、各導体線路２には、図１０の一点鎖線や点線で示すように、他方の導体線路２に流れる駆動電流Ｉ１，Ｉ２による反対方向の磁力線Ｅ１，Ｅ２が作用する。これら駆動電流Ｉ１，Ｉ２及び磁力線Ｅ１，Ｅ２による電磁誘導により、両振動板Ａ，Ｂの導体線路２間には、図１０の太線で示すように、ローレンツ力による引力が作用する。
【００３７】
又、図１１に示すように、両振動板Ａ，Ｂの導体線路２に逆方向の駆動電流Ｉ１，Ｉ２が流れた際には、各導体線路２の周囲には、図１１の一点鎖線や点線で示すように、反対方向の磁力線が発生する。これにより、各導体線路２には、図１１の一点鎖線や点線で示すように、他方の導体線路２に流れる駆動電流Ｉ１，Ｉ２による同一方向の磁力線Ｅ１，Ｅ２が作用する。これら駆動電流Ｉ１，Ｉ２及び磁力線Ｅ１，Ｅ２による電磁誘導により、両振動板Ａ，Ｂの導体線路２間には、図１１の太線で示すように、ローレンツ力による斥力が作用する。
【００３８】
又、図１２〜図１４に示すように、入力されるオーディオ信号をＶ- sig とし、振動板Ａの導体線路２に流れる駆動電流の周期をτ、振動板Ａ，Ｂの導体線路２に流れる駆動電流の立ち上がり（又は、立ち下がり）タイミングのずれをτ′、両振動板Ａ，Ｂの導体線路２間に作用する斥力の持続時間をＴ１、両振動板Ａ，Ｂの導体線路２間に作用する引力の持続時間をＴ２とした場合には、図１２に示すように、入力オーディオ信号Ｖ- sig が０よりも大の際には、Ｔ１＞Ｔ２（τ′＞τ／４）となる。又、図１３に示すように、入力オーディオ信号Ｖ- sig が０の場合には、Ｔ１＝Ｔ２（τ′＝τ／４）となる。更に、図１４に示すように、入力オーディオ信号Ｖ- sig が０よりも小の場合には、Ｔ１＜Ｔ２（τ′＜τ／４）となる。
【００３９】
このように、各駆動パルスの周期を入力オーディオ信号が０のときに１／４だけずれた関係とすることが本発明の特徴の１つである。これにより、入力オーディオ信号が０のときに、Ｔ１＝Ｔ２となり、導体線路２間に生じる力（排他的論理）の平均を０にすることができるからである。
【００４０】
尚、上記実施の形態では、一方の駆動パルス信号の周期を一定としたが、図９に示すように、入力されるオーディオ信号Ａの正負に応じて、駆動パルス信号Ｂ，Ｃの一方の立ち上がり及び／又は立ち下がりの出力タイミングを変化させてもよい。尚、図９では、オーディオ信号Ａが負の場合に、一方の駆動パルス信号Ｃの立ち上がり及び／又は立ち下がりの出力タイミングを変化させ、オーディオ信号Ａが正の場合に、他方の駆動パルス信号Ｂの立ち上がり及び／又は立ち下がりの出力タイミングを変化させている。そして、図９に示すような両駆動パルス信号Ｂ，Ｃの排他的論理和と両振動板１の導体線路２間に作用するローレンツ力が相関を有している。
【図面の簡単な説明】
【００４１】
【図１】本発明の実施の形態の第１例を示す説明図である。
【図２】図１とは異なる作動状態を示す説明図である。
【図３】本発明の実施の形態の第１例を示すブロック図である。
【図４】図３の各部の信号レベル等を示す波形図である。
【図５】本発明の実施の形態の第２例を示すブロック図である。
【図６】図５の各部の信号レベル等を示す波形図である。
【図７】本発明の実施の形態の第３例を示すブロック図である。
【図８】図７の各部の信号レベル等を示す波形図である。
【図９】本発明の実施の形態の他例の信号レベル等を示す波形図である。
【図１０】本発明の上記各例の具体的な動作を説明する説明図である。
【図１１】本発明の上記各例の具体的な動作を説明する説明図である。
【図１２】本発明の上記各例の具体的な動作を説明する説明図である。
【図１３】本発明の上記各例の具体的な動作を説明する説明図である。
【図１４】本発明の上記各例の具体的な動作を説明する説明図である。
【符号の説明】
【００４２】
１，Ａ，Ｂ  振動板
２  導体線路
４  鋸波発生回路
５，１２  比較器
６，２１  Ｄフリップフロップ
７  排他的オアゲート
８，９  増幅回路
１０，１５  矩形波発生回路
１１，１６  三角波発生回路
１３  単安定マルチバイブレータ
１７，１８  第１・第２比較器
１９  ノットゲート
２０  オアゲート
【図１】
2008103966.tif 000003
【図２】
2008103966.tif 000004
【図３】
2008103966.tif 000005
【図４】
2008103966.tif 000006
【図５】
2008103966.tif 000007
【図６】
2008103966.tif 000008
【図７】
2008103966.tif 000009
【図８】
2008103966.tif 000010
【図９】
2008103966.tif 000011
【図１０】
2008103966.tif 000012
【図１１】
2008103966.tif 000013
【図１２】
2008103966.tif 000014
【図１３】
2008103966.tif 000015
【図１４】
2008103966.tif 000016